(57)【要約】【課題】  予約情報の誤入力を防止し、番組表から録画予約対象となる番組を探す手間や予約情報の入力の手間を減らすと共に、視聴者が録画を希望する場合に簡易に録画予約が可能な番組録画予約システム及び方法を提供する。【解決手段】  放送番組及びそれに同期したデータ放送を提供する放送装置と、データ放送から放送番組の録画予約に必要な予約情報を取得し、該予約情報を録画装置へ送信する、放送番組及びデータ放送をそれぞれ受信可能な携帯端末と、携帯端末から送信される予約情報を受信し、該予約情報にしたがって放送番組を記録する録画装置とを有する構成とする。【選択図】  図１
2006253895.tif 000002
【特許請求の範囲】
【請求項１】
所望の放送番組を録画装置へ記録するための番組録画予約システムであって、
放送番組及びそれに同期したデータ放送を提供する放送装置と、
前記データ放送から放送番組の録画予約に必要な予約情報を取得し、該予約情報を前記録画装置へ送信する、前記放送番組及び前記データ放送をそれぞれ受信可能な携帯端末と、
を有し、
前記録画装置は、
前記携帯端末から送信される前記予約情報を受信し、該予約情報にしたがって前記放送番組を記録する番組録画予約システム。
【請求項２】
所望の放送番組を録画装置へ記録するための番組録画予約システムであって、
放送番組及びそれに同期したデータ放送を提供する放送装置と、
前記放送番組毎の録画予約に必要な予約情報と該予約情報を識別するための予約情報取得ＩＤとが関連付けて格納される予約情報配信サーバと、
前記データ放送から前記予約情報取得ＩＤを取得して前記予約情報配信サーバへ送信し、前記予約情報配信サーバから返信される該予約情報取得ＩＤに対応する録画予約情報を前記録画装置へ送信する、前記放送番組及び前記データ放送をそれぞれ受信可能な携帯端末と、
を有し、
前記録画装置は、
前記携帯端末から送信される前記予約情報を受信し、該予約情報にしたがって前記放送番組を記録する番組録画予約システム。
【請求項３】
放送装置から送信される放送番組のうち、所望の放送番組を録画装置へ記録するための番組録画予約方法であって、
携帯端末が、前記放送装置から前記放送番組に同期して送信されるデータ放送から、前記放送番組の録画予約に必要な予約情報を取得し、取得した予約情報を前記録画装置へ送信する工程と、
前記録画装置が、前記携帯端末から受信した録画予約情報にしたがって前記放送番組を記録する工程と、
を有する番組録画予約方法。
【請求項４】
放送装置から送信される放送番組のうち、所望の放送番組を録画装置へ記録するための番組録画予約方法であって、
携帯端末が、前記放送装置から前記放送番組に同期して送信されるデータ放送から、前記放送番組毎の録画予約に必要な予約情報を識別するための予約情報取得ＩＤを取得し、該予約情報取得ＩＤをサーバ装置へ送信する工程と、
前記サーバ装置が、前記携帯端末から受信した予約情報取得ＩＤから、対応する前記予約情報を抽出し、該携帯端末へ返信する工程と、
前記携帯端末が、前記サーバ装置から返信された予約情報を前記録画装置へ送信する工程と、
前記録画装置が、前記携帯端末から受信した予約情報にしたがって前記放送番組を記録する工程と、
を有する番組録画予約方法。
【請求項５】
放送番組及びそれに同期したデータ放送の受信が可能な携帯端末であって、
前記データ放送から放送番組の録画予約に必要な予約情報を取得する処理装置と、
前記予約情報が格納される記憶装置と、
前記予約情報を、前記放送番組を記録する録画装置へ送信するための送信手段と、
を有する携帯端末。
【請求項６】
放送番組及びそれに同期したデータ放送の受信が可能な携帯端末であって、
前記データ放送から前記放送番組毎の録画予約に必要な予約情報を識別するための予約情報取得ＩＤを取得する処理装置と、
前記予約情報取得ＩＤをサーバ装置へ送信するための通信装置と、
前記サーバ装置から返信される、前記予約情報取得ＩＤに対応する前記予約情報を、前記放送番組を記録する録画装置へ送信する送信手段と、
前記予約情報取得ＩＤ及び前記サーバ装置から返信された予約情報が格納される記憶装置と、
を有する携帯端末。
【請求項７】
放送番組を記録するための録画装置であって、
携帯端末から送信される、前記放送番組の録画予約に必要な予約情報を受信する受信手段と、
前記予約情報が格納される記憶装置と、
前記予約情報にしたがって前記放送番組を記録する記録装置と、
を有する録画装置。
【請求項８】
放送番組の録画予約に必要な予約情報と該予約情報を識別するための予約情報取得ＩＤとが関連付けて格納されるデータ蓄積装置と、
携帯端末から前記予約情報取得ＩＤを受信すると、該予約情報取得ＩＤに対応する予約情報を抽出し、該携帯端末へ返信する処理装置と、
を有するサーバ装置。
【発明の詳細な説明】
【技術分野】
【０００１】
本発明は視聴者が所望する番組の録画予約を行うための番組録画予約システム及び方法に関する。
【背景技術】
【０００２】
テレビジョン放送等では、視聴者に放送番組を見てもらうために番組宣伝を放送することがある。その場合、宣伝対象となる番組の放送時間や内容が音声や映像によって広報されるため、その放送番組の録画を希望する視聴者は、音声情報や映像情報から放送時間や放送チャンネル等の予約情報を録画装置へ入力する必要があった。
【０００３】
また、予め視聴したい放送番組や内容等が決まっている場合は、新聞や雑誌等で提供される番組表から視聴を希望する放送番組の予約情報を取得して視聴者が録画装置へ入力する必要があった。
【０００４】
なお、従来の番組録画予約方法として、放送局から放送番組に重畳して送信される放送番組データ及び放送予定番組データ（電子番組表）を取得し、同様番組の次回以降の受信予約や録画予約をリモートコントローラにより簡易に行う方法が、例えば特許文献１に記載されている。
【０００５】
また、ネットワークを介してサーバ装置から希望する放送番組の予約情報を携帯端末により取得し、携帯端末から録画装置へ取得した予約情報を送信する方法が、例えば特許文献２に記載されている。
【特許文献１】特開２０００−９２４００号公報
【特許文献２】特開２００４−２８２２１３号公報
【発明の開示】
【発明が解決しようとする課題】
【０００６】
上述したような従来の番組録画予約方法のうち、放送された番組宣伝等に基づき予約情報を視聴者が録画装置へ入力する方法では、放送日時や放送チャンネル等を誤って入力する可能性があるため、所望の番組が録画されないおそれがある。
【０００７】
また、新聞や雑誌等の番組表による録画予約、あるいは電子番組表を用いた録画予約では、予約情報を誤って入力することが低減するが、番組表から録画予約対象となる番組を探し出す手間や予約情報の入力に手間がかかるという問題がある。
【０００８】
また、特許文献１や特許文献２に記載された技術は、番組表等から視聴者が選択した番組の予約情報を録画装置へ入力するための発明であり、例えば視聴者が放送番組の宣伝を見たときに、その放送番組の録画予約を直ぐに行うことができない等の問題があった。
【０００９】
本発明は上記したような従来の技術が有する問題点を解決するためになされたものであり、予約情報の誤入力を防止し、番組表から録画予約対象となる番組を探す手間や予約情報の入力の手間を減らすと共に、視聴者が録画を希望する場合に簡易に録画予約が可能な番組録画予約システム及び方法を提供することを目的とする。
【課題を解決するための手段】
【００１０】
上記目的を達成するため本発明の番組録画予約システムは、所望の放送番組を録画装置へ記録するための番組録画予約システムであって、
放送番組及びそれに同期したデータ放送を提供する放送装置と、
前記データ放送から放送番組の録画予約に必要な予約情報を取得し、該予約情報を前記録画装置へ送信する、前記放送番組及び前記データ放送をそれぞれ受信可能な携帯端末と、
を有し、
前記録画装置は、
前記携帯端末から送信される前記予約情報を受信し、該予約情報にしたがって前記放送番組を記録する構成である。
【００１１】
一方、本発明の番組録画予約方法は、放送装置から送信される放送番組のうち、所望の放送番組を録画装置へ記録するための番組録画予約方法であって、
携帯端末が、前記放送装置から前記放送番組に同期して送信されるデータ放送から、前記放送番組の録画予約に必要な予約情報を取得し、取得した予約情報を前記録画装置へ送信する工程と、
前記録画装置が、前記携帯端末から受信した録画予約情報にしたがって前記放送番組を記録する工程と、
を有する方法である。
【００１２】
上記のような番組録画予約システム及び方法では、放送番組に同期して放送されるデータ放送から、視聴を希望する放送番組の予約情報を取得して録画予約を行うため、予約情報を誤って入力する問題が解消される。また、番組表から録画予約対象となる番組を探す手間や予約情報の入力に手間がかかるという問題が解消される。
【発明の効果】
【００１３】
本発明によれば、放送番組に同期して放送されるデータ放送から、視聴を希望する放送番組の予約情報を取得して録画予約を行うため、予約情報を誤って入力する問題が解消される。また、番組表から録画予約対象となる番組を探す手間や予約情報の入力に手間がかかるという問題が解消される。さらに、携帯端末を用いて放送番組の録画予約が可能になるため、放送番組を提供する事業者は放送番組の視聴者数が拡大するという効果が期待できる。また、放送番組の視聴者は視聴を希望する放送番組の視聴機会を逃すことが低減する。
【発明を実施するための最良の形態】
【００１４】
次に本発明について図面を参照して説明する。
（第１の実施の形態）
図１は本発明の番組録画予約システムの第１の実施の形態の構成を示すブロック図である。図２は図１に示した携帯端末の一構成例を示すブロック図であり、図３は図１に示した録画装置の一構成例を示すブロック図である。
【００１５】
図１に示すように、第１の実施の形態の番組録画予約システムは、音声や映像から成る放送番組及びそれに同期したデータ放送を視聴者に提供する放送サービスであり、放送番組及びそれに同期したデータ放送を提供する放送装置１と、放送番組及びデータ放送をそれぞれ受信可能な視聴者が所有する携帯端末２と、放送番組を記録可能な録画装置３とを有する構成である。
【００１６】
図１に示す放送装置１から携帯端末２へは、テレビジョン放送のように放送電波により放送番組及びデータが提供されてもよく、インターネットのようにネットワークを介して放送番組及びデータが提供されてもよい。
【００１７】
本実施形態の番組録画予約システムでは、携帯端末２が番組宣伝と共に提供されるデータ放送から宣伝対象の番組を録画予約するための予約情報を取得し、該予約情報を録画装置３へ送信する。携帯端末２から録画装置３へは、電波（例えばBluetooth）や赤外線あるいは有線を利用して予約情報を直接送信してもよく、ネットワークを介して予約情報を送信してもよい。
【００１８】
放送装置１は、放送事業者によって製作された放送番組やその番組の予約情報等を送信する周知の放送設備である。
【００１９】
図２に示すように、携帯端末２は、処理装置２１、視聴者による指示やデータを入力するための入力装置２２、表示装置２３、放送電波を受信するためのチューナー２４、ネットワークを介してサーバ装置等から番組を受信するための通信装置２５、及びデータ放送から取得した予約情報を録画装置３へ送信するための送信手段２６を備えた構成である。
【００２０】
処理装置２１は、例えばＣＰＵ２７、記憶装置２８、及びＣＰＵ２７に所定の処理を実行させるためのプログラムが記録された記録媒体２９等を備えた構成である。ＣＰＵ２７は記録媒体２９に記録されたプログラムにしたがって、以下に記載する携帯端末２としての処理を実行する。携帯端末２は、上記チューナー２４やネットワークを介してサーバ装置等と通信するための通信装置２５及び予約情報を録画装置３へ送信するための送信手段２６を備えた、例えば携帯電話機によって実現される。
【００２１】
図３に示すように、録画装置３は、放送電波を受信するためのチューナー３１、ネットワークを介してサーバ装置等から番組を受信するための通信装置３２、及び携帯端末２から送信される録画予約情報を受信するための受信手段３３を備えた構成である。また、録画装置３は、携帯端末２から送信された予約情報を保持するための記憶装置３４、及び該予約情報にしたがって放送番組を記録するための記録装置３５を備えている。
【００２２】
なお、図２及び図３では、携帯端末２及び録画装置３が、放送電波を受信するためのチューナー及びネットワークを介してサーバ装置等から番組を受信するための通信装置をそれぞれ備えた構成を示しているが、チューナーあるいは通信装置のいずれか一方のみ備えた構成であってもよい。
【００２３】
次に、本実施形態の番組録画予約システムの動作について図４〜図６を用いて説明する。
【００２４】
図４は、第１の実施の形態の番組録画予約システムの動作を示す図であり、放送装置と携帯端末間の処理を示すシーケンス図である。図５は、第１の実施の形態の番組録画予約システムの動作を示す図であり、携帯端末と録画装置間の処理を示すシーケンス図である。図６は、第１の実施の形態の番組録画予約システムの動作を示す図であり、放送装置と録画装置間の処理を示すシーケンス図である。
【００２５】
図４に示すように、放送装置１からは、番組を宣伝する放送に同期して、その番組を録画予約するのに必要な予約情報を含むデータ放送が送信される。
【００２６】
放送サービスを受信可能な携帯端末２を有する視聴者は、その放送番組を宣伝する映像を視聴し、宣伝対象の番組を視聴したいと考えると、携帯端末２の入力装置２２を利用してその番組の録画予約を入力する。携帯端末２の処理装置２１は、視聴者からの録画予約指示にしたがって宣伝番組と共に送信されるデータ放送から対応する予約情報を取得し、当該予約情報を記憶装置２８に格納する。
【００２７】
続いて、図５に示すように、携帯端末２の処理装置２１は、記憶装置２８に格納された予約情報を送信手段２６を用いて録画装置３へ送信する。録画装置３は、携帯端末２から送信された予約情報を受信手段３３で受信し、当該予約情報を記憶装置３４に格納する。
【００２８】
次に、図６に示すように、録画装置３は、記憶装置３４に格納された予約情報にしたがって、放送装置１から送信される放送番組の開始にあわせて記録装置３５へ録画を開始し、放送装置１から送信される放送番組の終了にあわせて記録装置３５への録画を終了する。
【００２９】
本実施形態の番組録画予約システムによれば、放送番組（宣伝番組）に同期して放送されるデータ放送から、その宣伝対象の番組を録画するための予約情報を取得して録画予約を行うため、予約情報を誤って入力する問題が解消される。さらに、番組表から録画予約対象となる番組を探す手間や予約情報の入力に手間がかかるという問題が解消される。さらに、携帯端末２を用いて放送番組の録画予約が可能になるため、放送番組を提供する事業者は放送番組の視聴者数が拡大するという効果が期待できる。また、放送番組の視聴者は視聴を希望する放送番組の視聴機会を逃すことが低減する。
（第２の実施の形態）
図７は本発明の番組録画予約システムの第２の実施の形態の構成を示すブロック図であり、図８は図７に示した予約情報配信サーバの一構成例を示すブロック図である。
【００３０】
図７に示すように、第２の実施の形態の番組録画予約システムは、視聴者が所有する携帯端末に放送番組の録画予約に必要な予約情報を提供する予約情報配信サーバ４を有する点で第１の実施の形態と異なっている。その他の構成は第１の実施の形態と同様であるため、その説明は省略する。
【００３１】
予約情報配信サーバ４は、ネットワークを介して携帯端末との通信が可能な通信装置を備えた、コンピュータから成る情報処理装置によって実現される。
【００３２】
図８に示すように、予約情報配信サーバ４は、プログラムにしたがって処理を実行する処理装置４０と、処理装置４０に対してコマンドやデータ等を入力するための入力装置５０と、処理装置４０の処理結果をモニタするための出力装置６０とを有する構成である。
【００３３】
処理装置４０は、ＣＰＵ４１と、ＣＰＵ４１の処理に必要なデータを一時的に保持する主記憶装置４２と、放送番組毎の予約情報が格納されるデータ蓄積装置４４と、ＣＰＵ４１に本発明の処理を実行させるためのプログラムが記録された記録媒体４３と、主記憶装置４２、記録媒体４３、及びデータ蓄積装置４４とのデータ転送を制御するメモリ制御インタフェース部４５と、入力装置５０及び出力装置６０とのインタフェース装置であるＩ／Ｏインタフェース部４６と、ネットワークを介した通信を制御するインタフェースである通信制御装置４７とを備え、それらがバス４８を介して接続された構成である。
【００３４】
ＣＰＵ４１は、記録媒体４３に記録された制御プログラムにしたがって後述する本発明の処理を実行する。なお、記録媒体４３は、磁気ディスク、半導体メモリ、光ディスクあるいはその他の記録媒体であってもよい。データ蓄積装置４４には番組の予約情報と該予約情報を識別するための予約情報取得ＩＤとが関連付けて格納される。
【００３５】
次に、本実施形態の番組録画予約システムの動作について図５及び図６を参照しつつ図９及び図１０を用いて説明する。
【００３６】
図９は、第２の実施の形態の番組録画予約システムの動作を示す図であり、放送装置と携帯端末間の処理を示すシーケンス図である。図１０は、第２の実施の形態の番組録画予約システムの動作を示す図であり、携帯端末と予約情報配信サーバ間の処理を示すシーケンス図である。
【００３７】
図９に示すように、放送装置からは、番組を宣伝する放送に同期して、その番組の予約情報取得ＩＤを含むデータ放送が送信される。
【００３８】
放送サービスを受信可能な携帯端末を有する視聴者は、その放送番組を宣伝する映像を視聴し、宣伝対象の番組を視聴したいと考えると、携帯端末の入力装置を利用してその番組の録画予約を入力する。携帯端末の処理装置は、視聴者からの録画予約指示にしたがって宣伝番組と共に送信されるデータ放送から対応する予約情報取得ＩＤを取得し、当該予約情報取得ＩＤを記憶装置に格納する。
【００３９】
図１０に示すように、予約情報取得ＩＤを取得した携帯端末は、該予約情報取得ＩＤをネットワークを介して予約情報配信サーバ４へ送信する。
【００４０】
予約情報配信サーバ４は、携帯端末から受信した予約情報取得ＩＤを基にデータ蓄積装置４４を検索し、録画予約に必要な対応する予約情報を抽出する。そして、抽出した予約情報をネットワークを介して携帯端末に返信する。
【００４１】
携帯端末は、予約情報配信サーバ４から返信された予約情報を記憶装置に格納する。
【００４２】
以降、第１の実施の形態と同様に、携帯端末は、記憶装置に格納された予約情報を送信手段を用いて録画装置へ送信する。録画装置は、携帯端末から送信された予約情報を受信手段で受信し、その予約情報を記憶装置に格納する（図５参照）。
【００４３】
そして、記憶装置に格納された予約情報にしたがって、放送装置から送信される放送番組の開始にあわせて記録装置へ録画を開始し、放送装置から送信される放送番組の終了にあわせて記録装置への録画を終了する（図６参照）。
【００４４】
本実施形態の番組録画予約システムによれば、第１の実施の形態と同様の効果が得られると共に、予約情報配信サーバ４から予約情報を取得するため、データ放送で配信される情報に利用条件等の制約があっても録画予約が可能となる。
【図面の簡単な説明】
【００４５】
【図１】本発明の番組録画予約システムの第１の実施の形態の構成を示すブロック図である。
【図２】図１に示した携帯端末の一構成例を示すブロック図である。
【図３】図１に示した録画装置の一構成例を示すブロック図である。
【図４】第１の実施の形態の番組録画予約システムの動作を示す図であり、放送装置と携帯端末間の処理を示すシーケンス図である。
【図５】第１の実施の形態の番組録画予約システムの動作を示す図であり、携帯端末と録画装置間の処理を示すシーケンス図である。
【図６】第１の実施の形態の番組録画予約システムの動作を示す図であり、放送装置と録画装置間の処理を示すシーケンス図である。
【図７】本発明の番組録画予約システムの第２の実施の形態の構成を示すブロック図である。
【図８】図７に示した予約情報配信サーバの一構成例を示すブロック図である。
【図９】第２の実施の形態の番組録画予約システムの動作を示す図であり、放送装置と携帯端末間の処理を示すシーケンス図である。
【図１０】第２の実施の形態の番組録画予約システムの動作を示す図であり、携帯端末と予約情報配信サーバ間の処理を示すシーケンス図である。
【符号の説明】
【００４６】
１    放送装置
２    携帯端末
３    録画装置
４    予約情報配信サーバ
２１    処理装置
２２，５０    入力装置
２３    表示装置
２４，３１    チューナー
２５，３２    通信装置
２６    送信手段
２７，４１    ＣＰＵ
２８、３４    記憶装置
２９，４３    記録媒体
３３    受信手段
３５    記録装置
４２    主記憶装置
４４    データ蓄積装置
４５    メモリ制御インタフェース部
４６    Ｉ／Ｏインタフェース部
４７    通信制御装置
４８    バス
６０    出力装置
【図１】
2006253895.tif 000003
【図２】
2006253895.tif 000004
【図３】
2006253895.tif 000005
【図４】
2006253895.tif 000006
【図５】
2006253895.tif 000007
【図６】
2006253895.tif 000008
【図７】
2006253895.tif 000009
【図８】
2006253895.tif 000010
【図９】
2006253895.tif 000011
【図１０】
2006253895.tif 000012